(57)【要約】      （修正有）【課題】インピーダンスの悪化や周波数が変動する事を防ぎ、安定した周波数を出力できる小型化された圧電デバイスの提供。【解決手段】基板部１２１と基板部の一方の主面に枠部１２２が設けられた振動素子用凹部空間１２４が形成され、振動素子用凹部空間の底面対角線上の所定の２隅に搭載端子Ｐが設けられている素子搭載部材１２０と、圧電片１４１と電極１４２と配線パターンＨと接続端子Ｓとを圧電片１４１に有し、搭載端子に搭載される振動素子１４０と、素子搭載部材と接合される蓋部材１１０と、枠部の振動素子用凹部空間内側の面であって、枠部の一方の短辺側と他方の短辺側の面に１個ずつ設けられた２つ一対の第一の突起部１３１と、同じ凹部空間内側の面であって、枠部の一方の長辺側と他方の長辺側の面にそれぞれ設けられた２つ一対の第二の突起部１３２とを備え、振動素子が第一の突起部１３１の間と第二の突起部１３２の間に設けられている。【選択図】図１
2011015075.tif 000002
【特許請求の範囲】
【請求項１】
基板部とこの前記基板部の一方の主面に枠部が設けられ振動素子用凹部空間が形成され、前記振動素子用凹部空間の底面の対角線上の所定の２隅に２つ一対の搭載端子が設けられている素子搭載部材と、
圧電材料からなる圧電片と、２つ一対の電極と前記２つ一対の電極に接続している２つ一対の配線パターンと前記２つ一対の配線パターンに接続している２つ一対の接続端子とを前記圧電片に有し、前記搭載端子に搭載される振動素子と、
前記素子搭載部材と接合されて前記振動素子用凹部空間を気密封止する蓋部材と、
前記枠部の前記振動素子用凹部空間内側の面であって、前記枠部の一方の短辺側の面と他方の短辺側の面にそれぞれ１個ずつ設けられた２つ一対の第一の突起部と、
前記枠部の前記振動素子用凹部空間内側の面であって、前記枠部の一方の長辺側の面と他方の長辺側の面にそれぞれ１個ずつ設けられた２つ一対の第二の突起部と、
を備え、
前記振動素子が前記２つ一対の第一の突起部の間に設けられ、かつ、前記２つ一対の第二の突起部の間に設けられている
ことを特徴とする圧電デバイス。
【発明の詳細な説明】
【技術分野】
【０００１】
本発明は、電子機器に用いられる圧電デバイスに関する。
【背景技術】
【０００２】
図８は、従来の圧電デバイスの一例を示す分解斜視図である。また、図９の従来の圧電デバイスの断面の一例を示す断面図である。図１０は、従来の圧電デバイスであって、蓋部材を接合する前の状態の一例を示す概念図である。
以下、圧電デバイスの一例として圧電振動子について説明する。
圧電振動子５００は、例えば、図８及び図９に示すように、振動素子５４０と振動素子５４０を搭載する素子搭載部材５２０と素子搭載部材５２０に接合される蓋部材５１０とから主に構成されている。
【０００３】
素子搭載部材５２０は、図８及び図９に示すように、矩形形状の平板に形成された基板部５２１と、この基板部５２１の一方の主面に枠部５２２が設けられ、振動素子用凹部空間５２４が形成されている。
また、素子搭載部材５２０は、図８に示すように、この振動素子用凹部空間５２４の底面であって、枠部５２２の所定の一辺、例えば、一方の短辺に沿って２つ一対の搭載端子Ｐが設けられている。
また、素子搭載部材５２０は、他方の主面、つまり、基板部５２１の他方の主面に、複数の外部接続端子Ｇが設けられている。この外部接続端子Ｇは、例えば、４個設けられており、素子搭載部材５２０の他方の主面の４隅に１個ずつ設けられている。
また、素子搭載部材５２０は、この振動素子用凹部空間５２４が設けられた一方の主面に、第一の金属層（図示せず）が環状に設けられている。
【０００４】
振動素子５４０は、図８〜図１０に示すように、圧電材料からなる圧電片５４１と、２つ一対の電極５４２と前記電極５４２に接続している２つ一対の配線パターンＨと前記配線パターンＨに接続している２つ一対の接続端子Ｓとを前記圧電片５４１に有している。
圧電片５４１は、例えば、水晶が用いられており、矩形形状の平板に形成されている。
２つ一対の電極５４２は、圧電片５４１の両主面にそれぞれ１つずつ設けられている。一方の電極５４２は、圧電片５４１の一方の主面の中央部に設けられている。他方の電極５４２は、圧電片５４１の他方の主面の中央部であって、一方の電極５４２と対向する位置に設けられている。
２つ一対の接続端子Ｓは、圧電片５４１の所定の一辺、例えば、一方の短辺に沿って、２個並べて設けられている。
２つ一対の配線パターンＨは、一方の配線パターンＨが一方の電極５４２と一方の接続端子Ｓとに接続され、他方の配線パターンＨが他方の電極５４２と他方の接続端子Ｓとに接続されている。
振動素子５４０は、２つ一対の接続端子Ｓと素子搭載部材５２０の２つ一対の搭載端子Ｐと対向する位置であって、素子搭載部材５２０の振動素子用凹部空間５２４内に導電接着剤Ｄを用いて搭載されている。
【０００５】
蓋部材５１０は、例えば、金属が用いられている。また、蓋部材５１０は、図８に示すように、矩形形状の平板となっており、その主面が素子搭載部材５２０の一方の主面と同じ大きさとなっている。
また、蓋部材５１０は、素子搭載部材５２０の第一の金属層と対向する位置に、封止用金属層（図示せず）が環状に設けられている。
また、蓋部材５１０は、封止用金属層と素子搭載部材５２０に設けられた第一の金属層とが接合されて、素子搭載部材５２０の振動素子用凹部空間５２４を気密封止する。
【０００６】
圧電デバイス５００は、図９及び図１０に示すように、素子搭載部材５２０の振動素子用凹部空間５２４の底面に設けられた２つ一対の搭載端子Ｐに、振動素子５４０が搭載されている。
また、圧電デバイス５００は、図９に示すように、素子搭載部材５２０の第一の金属と蓋部材５１０の封止用金属層とが接合され、振動素子用凹部空間５２４を気密封止されている（例えば、特許文献１参照）。
【先行技術文献】
【特許文献】
【０００７】
【特許文献１】特開２００６−２８７４２３号公報
【発明の概要】
【発明が解決しようとする課題】
【０００８】
しかし、従来の圧電デバイスは、振動素子の接続端子と素子搭載部材の搭載端子とが導電接着剤によって接着され、振動素子が素子搭載部材の搭載端子に搭載された状態となっている。従来の圧電デバイスが小型化された場合、従来の圧電デバイスは、振動素子の振動エネルギーがとても小さいため、従来の大きさの場合と比較すると、応力の影響を受けやすくなる。
このため、小型化された従来の圧電デバイスは、振動素子が素子搭載部材に搭載される位置によって応力の影響を受ける。従って、従来の圧電デバイスは、所定の位置ではない位置に搭載された場合、インピーダンスが大きくなる恐れがある。また、同様に従来の圧電デバイスの周波数が変動する恐れがある。
【０００９】
また、小型化された従来の圧電デバイスは、振動素子の搭載位置が所定の位置からずれることによって、振動素子の接続端子と導電性接着剤との接着面積が減少して、接着強度が不安定となる恐れがある。そのため、小型化された従来の圧電デバイスは、安定した周波数を出力できない恐れがある。
【００１０】
そこで、本発明では、インピーダンスの悪化や周波数が変動することを防ぎ、安定した周波数を出力することのできる小型化された圧電デバイスを提供することを課題とする。
【課題を解決するための手段】
【００１１】
前記課題を解決するため、基板部とこの前記基板部の一方の主面に枠部が設けられ振動素子用凹部空間が形成され、前記振動素子用凹部空間の底面の対角線上の所定の２隅に２つ一対の搭載端子が設けられている素子搭載部材と、圧電材料からなる圧電片と、２つ一対の電極と前記２つ一対の電極に接続している２つ一対の配線パターンと前記２つ一対の配線パターンに接続している２つ一対の接続端子とを前記圧電片に有し、前記搭載端子に搭載される振動素子と、前記素子搭載部材と接合されて前記振動素子用凹部空間を気密封止する蓋部材と、前記枠部の前記振動素子用凹部空間内側の面であって、前記枠部の一方の短辺側の面と他方の短辺側の面にそれぞれ１個ずつ設けられた２つ一対の第一の突起部と、前記枠部の前記振動素子用凹部空間内側の面であって、前記枠部の一方の長辺側の面と他方の長辺側の面にそれぞれ１個ずつ設けられた２つ一対の第二の突起部と、を備え、前記振動素子が前記２つ一対の第一の突起部の間に設けられ、かつ、前記２つ一対の第二の突起部の間に設けられていることを特徴とする。
【発明の効果】
【００１２】
このような圧電デバイスは、２つ一対の第一の突起部の間に振動素子を設けつつ、２つ一対の第二の突起部の間に振動素子を設けるように、素子搭載部材に振動素子が搭載されている。従って、このような圧電デバイスは、振動素子が素子搭載部材に搭載する際に、２つ一対の第一の突起部及び２つ一対の第二の突起部により、振動素子を素子搭載部材の所定の位置に搭載することができる。つまり、このような圧電デバイスは、小型化されても、２つ一対の第一の突起部と２つ一対の第二の突起部とで、振動素子を素子搭載部材の所定の位置に搭載することができるので、振動素子の搭載位置のばらつきを抑えることができる。
従って、このような圧電デバイスは、振動素子を素子搭載部材の所定の位置に搭載することができるので、振動素子が所定の位置からずれた場合に発生するインピーダンスの悪化や周波数が変動することを抑えることができる。
【００１３】
また、このような圧電デバイスは、振動素子を素子搭載部材に搭載する際に、２つ一対の第一の突起部と２つ一対の第二の突起部によって、導電性接着剤を用いて、素子搭載部材の所定の位置に振動素子を容易に搭載することができる。
従って、このような圧電デバイスは、振動素子の接続端子と導電性接着剤との接着面積が減少することがないため、接着強度が安定する。よって、このような圧電デバイスは、安定した周波数を出力することができる。
【図面の簡単な説明】
【００１４】
【図１】本発明の第一の実施形態に係る圧電デバイスの一例を示す分解斜視図である。
【図２】本発明の第一の実施形態に係る圧電デバイスの一例を示す断面図である。
【図３】本発明の第一の実施形態に係る圧電デバイスであって、蓋部材を接合する前の状態の一例を示す概念図である。
【図４】本発明の第二の実施形態に係る圧電デバイスの一例を示す分解斜視図である。
【図５】本発明の第二の実施形態に係る圧電デバイスの一例を示す断面図である。
【図６】本発明の第三の実施形態に係る圧電デバイスの一例を示す断面図である。
【図７】本発明の第四の実施形態に係る圧電デバイスの一例を示す断面図である。
【図８】従来の圧電デバイスの一例を示す分解斜視図である。
【図９】従来の圧電デバイスの断面の一例を示す断面図である。
【図１０】従来の圧電デバイスであって、蓋部材を接合する前の状態の一例を示す概念図である。
【発明を実施するための形態】
【００１５】
次に、本発明を実施するための最良の形態について説明する。なお、各図面において、各構成要素の状態をわかりやすくするために誇張して図示している。
【００１６】
（第一の実施形態）
本発明の第一の実施形態に係る圧電デバイスについて説明する。なお、圧電デバイスを水晶振動子として説明する。
図１は、本発明の第一の実施形態に係る圧電デバイスの一例を示す分解斜視図である。図２は、本発明の第一の実施形態に係る圧電デバイスの一例を示す断面図である。図３は、本発明の第一の実施形態に係る圧電デバイスであって、蓋部材を接合する前の状態の一例を示す概念図である。
【００１７】
本発明の第一の実施形態に係る圧電デバイス１００は、図１及び図２に示すように、蓋部材１１０と素子搭載部材１２０と第一の突起部１３１（１３１ａ，１３１ｂ）と第二の突起部１３２（１３２ａ，１３２ｂ）と振動素子１４０とから主に構成されている。
【００１８】
蓋部材１１０は、例えば、図１に示すように、金属が用いられ、矩形形状の平板に形成されている。
また、蓋部材１１０は、一方の主面の縁部であって、後述する素子搭載部材１２０に設けられた第一の金属層（図示せず）と対向する位置に、封止用金属層（図示せず）が設けられている。
【００１９】
素子搭載部材１２０は、図１〜図３に示すように、基板部１２１と枠部１２２とから主に構成されている。
基板部１２１は、図１に示すように、例えば、矩形形状の平板に設けられている。
また、基板部１２１は、その主面が蓋部材１１０の主面の大きさと同じ大きさとなっている。
また、基板部１２１は、図１及び図２に示すように、一方の主面に後述する枠部１２２と後述する２つ一対の搭載端子Ｐ（Ｐａ，Ｐｂ）とが設けられており、他方の主面に後述する複数の外部接続端子Ｇが設けられている。
枠部１２２は、図１〜図３に示すように、基板部１２１の一方の主面の縁部に設けられている。つまり、素子搭載部材１２０は、基板部１２１の一方の主面に枠部１２２が設けられて、振動素子用凹部空間１２４が形成される。
また、枠部１２２は、基板部１２１と対向する面であって、振動素子用凹部空間１２４の開口部側の面に、環状の第一の金属層（図示せず）が設けられている。
また、枠部１２２は、その枠形状の内側の面、つまり、振動素子用凹部空間１２４内側の面に、後述する第一の突起部１３１と後述する第二の突起部１３２とが設けられている。
【００２０】
２つ一対の搭載端子Ｐは、図１及び図３に示すように、基板部１２１の一方の主面であって、振動素子用凹部空間１２４の底面の対角線上の所定の２隅に設けられる。
外部接続端子Ｇは、基板部１２１の他方の主面に複数、設けられる。ここで、外部接続端子Ｇは、例えば、４個、基板部１２１の４隅に設けられる。
所定の外部接続端子Ｇは、所定の搭載端子Ｐと電気的に接続されている。つまり、素子搭載部材１２０は、所定の一つの外部接続端子Ｇと一方の搭載端子Ｐａとが電気的に接続されており、所定の他の一つの外部接続端子Ｇと他方の搭載端子Ｐｂとが電気的に接続されている。
【００２１】
素子搭載部材１２０は、図１及び図２に示すように、一方の主面に振動素子用凹部空間１２４が形成されおり、その振動素子用凹部空間１２４の底面の対角線上の所定の２隅に２つ一対の搭載端子Ｐが設けられている。
また、素子搭載部材１２０は、一方の主面に環状の第一の金属層が設けられており、他方の主面の4隅に外部接続端子Ｇが設けられている。
【００２２】
第一の突起部１３１（１３１ａ，１３１ｂ）は、図１〜図３に示すように、２つ一対となっている。
２つ一対の第一の突起部１３１は、例えば、図１に示すように、直方体の形状となっている。
また、２つ一対の第一の突起部１３１は、振動素子用凹部空間１２４の底面に接しつつ、素子搭載部材１２０の枠部１２２の振動素子用凹部空間１２４内側の面に設けられている。
また、２つ一対の第一の突起部１３１は、図２に示すように、その高さが枠部１２２の高さより低い高さとなっている。つまり、２つ一対の第一の突起部１３１は、振動素子用凹部空間１２４の底面と対向する面であって、振動素子用凹部空間１２４の開口部側の面が、素子搭載部材１２０の開口部が設けられている一方の主面より、振動素子用凹部空間１２４の底面側に位置している。
【００２３】
一方の第一の突起部１３１ａは、図１及び図２に示すように、素子搭載部材１２０の枠部１２２の振動素子用凹部空間１２４内側の面であって、一方の短辺側に設けられている。ここで、一方の第一の突起部１３１ａは、例えば、２つ一対の搭載端子Ｐが設けられている振動素子用凹部空間１２４の底面であって、一方の短辺側の中央部に設けられている。
また、一方の第一の突起部１３１ａは、図３に示すように、振動素子用凹部空間１２４の開口部側から見た場合、基板部１２１の外縁部の一方の短辺と平行な辺に着目すると、一方の第一の突起部１３１ａの振動素子用凹部空間１２４内側の辺の位置が、一方の搭載端子Ｐａの基板部１２１の外縁側の辺と、一方の搭載端子Ｐａの振動素子用凹部空間１２４内側の辺との間に設けられている。
ここで、一方の搭載端子Ｐａは、一方の第一の突起部１３１ａの近傍であって、一方の短辺側に設けられている。
【００２４】
他方の第一の突起部１３１ｂは、図１〜図３に示すように、素子搭載部材１２０の枠部１２２の振動素子用凹部空間１２４内側の面であって、一方の第一の突起部１３１ａが設けられている面と対向する面、つまり、振動素子用凹部空間１２４の底面の他方の短辺側に設けられている。
また、他方の第一の突起部１３１ｂは、振動素子用凹部空間１２４の底面に設けられている。
ここで、他方の第一の突起部１３１ｂは、例えば、他方の短辺側の中央部に設けられている。
また、他方の第一の突起部１３１ｂは、図３に示すように、振動素子用凹部空間１２４の開口部側から見た場合、基板部１２１の外縁部の一方の短辺と平行な辺に着目すると、他方の第一の突起部１３１ｂの振動素子用凹部空間１２４内側の辺の位置が、他方の搭載端子Ｐｂの基板部１２１の外縁側の辺と、他方の搭載端子Ｐｂの振動素子用凹部空間１２４内側の辺との間に設けられている。
ここで、他方の搭載端子Ｐｂは、他方の第一の突起部１３１ｂの近傍であって、他方の短辺側に設けられている。
【００２５】
２つ一対の第一の突起部１３１は、素子搭載部材１２０の振動素子用凹部空間１２４内側であって、後述する振動素子１４０を搭載することのできる位置に設けられている。
従って、２つ一対の第一の突起部１３１は、図２及び図３に示すように、振動素子用凹部空間１２４の開口部側から見た場合、基板部１２１の一方の短辺と平行な辺に着目すると、一方の第一の突起部１３１ａの振動素子用凹部空間１２４内側の辺と、他方の第一の突起部１３１ｂの振動素子用凹部空間１２４内側の辺との間に、後述する振動素子１４０が搭載される位置に、２つ一対の第一の突起部１３１が設けられる。
【００２６】
第二の突起部１３２（１３２ａ，１３２ｂ）は、図１及び図３に示すように、２つ一対となっている。
２つ一対の第二の突起部１３２は、例えば、図１に示すように、直方体の形状となっている。
また、２つ一対の第二の突起部１３２は、振動素子用凹部空間１２４の底面に接しつつ、素子搭載部材１２０の枠部１２２の振動素子用凹部空間１２４内側の面に設けられている。
また、２つ一対の第二の突起部１３２は、その高さが枠部１２２の高さより低い高さとなっている。つまり、２つ一対の第二の突起部１３２は、振動素子用凹部空間１２４の底面と対向する面であって、振動素子用凹部空間１２４の開口部側の面が、素子搭載部材１２０の開口部が設けられている一方の主面より、振動素子用凹部空間１２４の底面側に位置している。
【００２７】
一方の第二の突起部１３２ａは、図１及び図３に示すように、素子搭載部材１２０の枠部１２２の振動素子用凹部空間１２４内側の面であって、一方の長辺側に設けられている。
また、一方の第二の突起部１３２ａは、図３に示すように、振動素子用凹部空間１２４の開口部側から見た場合、基板部１２１の外縁部の一方の長辺と平行な辺に着目すると、一方の第二の突起部１３２ａの振動素子用凹部空間１２４内側の辺の位置が、一方の搭載端子Ｐａの基板部１２１の外縁側の辺と一方の搭載端子Ｐａの振動素子用凹部空間１２４内側の辺との間に設けられている。
ここで、一方の搭載端子Ｐａは、一方の第二の突起部１３２ａの近傍であって、一方の短辺側に設けられている。また、この一方の搭載端子Ｐａの近傍の長辺を一方の長辺側とする。
【００２８】
他方の第二の突起部１３２ｂは、図１及び図３に示すように、素子搭載部材１２０の枠部１２２の振動素子用凹部空間１２４内側の面であって、一方の第二の突起部１３２ａが設けられている面と対向する面、つまり、振動素子用凹部空間１２４の底面の他方の長辺側に設けられている。
また、他方の第一の突起部１３１ｂは、振動素子用凹部空間１２４の底面に設けられている。
また、一方の第二の突起部１３２ｂは、図３に示すように、振動素子用凹部空間１２４の開口部側から見た場合、基板部１２１の外縁部の一方の長辺と平行な辺に着目すると、一方の第二の突起部１３２ａの振動素子用凹部空間１２４内側の辺の位置が、他方の搭載端子Ｐｂの基板部１２１の外縁側の辺と、他方の搭載端子Ｐｂの振動素子用凹部空間１２４内側の辺との間に設けられている。
ここで、他方の搭載端子Ｐｂは、他方の第二の突起部１３２ａの近傍であって、他方の短辺側に設けられている。また、この他方の搭載端子Ｐｂの近傍の長辺を他方の長辺側とする。
【００２９】
２つ一対の第二の突起部１３２は、素子搭載部材１２０の振動素子用凹部空間１２４内側であって、後述する振動素子１４０を搭載することのできる位置に設けられている。
従って、２つ一対の第二の突起部１３２は、図３に示すように、振動素子用凹部空間１２４の開口部側から見た場合、基板部１２１の一方の長辺と平行な辺に着目すると、一方の第二の突起部１３２ａの振動素子用凹部空間１２４内側の辺と、他方の第二の突起部１３２ｂの振動素子用凹部空間１２４内側の辺との間に、後述する振動素子１４０が搭載される位置に、２つ一対の第二の突起部１３２が設けられる。
【００３０】
振動素子１４０は、図１及び図２に示すように、圧電材料からなる圧電片１４１と、２つ一対の電極１４２と２つ一対の配線パターンＨと２つ一対の接続端子Ｓとを圧電片１４１に備えている。
圧電片１４１は、例えば、水晶が設けられている。また、圧電片１４１は、矩形形状の平板に形成されている。
２つ一対の電極１４２は、圧電片１４１の両主面にそれぞれ設けられている。一方の電極１４２は、圧電片１４１の一方の主面の中央部に設けられている。また、他方の電極１４２は、圧電片１４２の他方の主面であって、一方の電極１４２と対向する位置に設けられている。
２つ一対の接続端子Ｓは、圧電片１４１の電極１４２が設けられている主面の対角線上の所定の２隅に設けられている。
２つ一対の配線パターンＨは、所定の電極１４２と所定の接続端子Ｓに接続されている。つまり、一方の配線パターンＨは、一方の電極１４２と一方の接続端子Ｓとに接続されている。また、他方の配線パターンＨは、他方の電極１４２と他方の接続端子Ｓとに接続されている。
【００３１】
振動素子１４０は、図２に示すように、接続端子Ｓが、素子搭載部材１２０の搭載端子Ｐと導電接着剤Ｄにより固定されて、素子搭載部材１２０に搭載される。
つまり、振動素子１４０は、対角線上のその所定の２隅が、素子搭載部材１２０に固定された状態となっている。
【００３２】
圧電デバイス１００は、素子搭載部材１２０の振動素子用凹部空間１２４内側の面に設けられた２つ一対の第一の突起部１３１の間となる位置に、振動素子１４０が設けられるように、振動素子１４０が素子搭載部材１２０に搭載される。
また、圧電デバイス１００は、素子搭載部材１２０の振動素子用凹部空間１２４内側の面に設けられた２つ一対の第二の突起部１３２の間となる位置に、振動素子１４０が設けられるように、振動素子１４０が素子搭載部材１２０に搭載される。
【００３３】
圧電デバイス１００は、振動素子１４０が素子搭載部材１２０に搭載された状態で、素子搭載部材１２０の第一の金属層と蓋部材１１０の封止用金属層とが接合され、素子搭載部材１２０の振動素子用凹部空間１２４が気密封止される。
【００３４】
このような本発明の第一の実施形態に係る圧電デバイス１００は、２つ一対の第一の突起部１３１の間に振動素子１４０を設けつつ、２つ一対の第二の突起部１３２の間に振動素子１４０を設けるように、素子搭載部材１２０の搭載端子Ｐに振動素子１４０が搭載される。従って、本発明の第一の実施形態に係る圧電デバイス１００は、振動素子１４０が素子搭載部材１２０の搭載端子Ｐに搭載される際に、２つ一対の第一の突起部１３１及び２つ一対の第二の突起部１３２によって、所定の位置に容易に位置だしされる。
つまり、本発明の第一実施形態に係る圧電デバイス１００は、小型化されても、２つ一対の第一の突起部１３１及び２つ一対の第二の突起部１３２によって、振動素子１４０を容易に所定の位置に搭載することができるので、振動素子１４０を素子搭載部材１２０の搭載端子Ｐに搭載する位置を一定にすることができる。従って、本発明の第一の実施形態に係る圧電デバイス１００は、振動素子１４０が、素子搭載部材１２０の搭載端子Ｐに搭載される位置を一定にすることができるので、インピーダンスの悪化や周波数が変動することを抑えることができる。
【００３５】
また、本発明の第一の実施形態に係る圧電デバイス１００は、振動素子１４０が素子搭載部材１２０の搭載端子Ｐに搭載する際に２つ一対の突起部１３０によって容易に位置出しされ、導電性接着剤Ｄを用いて素子搭載部材１２０の搭載端子Ｐに搭載されている。つまり、本発明の第一の実施形態に係る圧電デバイス１００は、２つ一対の突起部１３０により、振動素子１４０を所定の位置に容易に搭載することができる。
従って、本発明の第一の実施形態に係る圧電デバイス１００は、振動素子１４０の接続端子Ｓと導電性接着剤Ｄとの接着面積が減少することないため、接着強度が安定する。よって、本発明の第一の実施形態に係る圧電デバイス１００は、安定した周波数を出力することができる。
【００３６】
（第二の実施形態）
次に本発明の第二の実施形態に係る圧電デバイスについて説明する。なお、圧電デバイスを水晶振動子として説明する。
図４は、本発明の第二の実施形態に係る圧電デバイスの一例を示す分解斜視図である。図５は、本発明の第二の実施形態に係る圧電デバイスの一例を示す断面図である。
このような本発明の第二の実施形態に係る圧電デバイス２００は、図４及び図５に示すように、２つ一対の第一の突起部２３１（２３１ａ，２３１ｂ）及び２つ一対の第二の突起部２３２（２３２ａ，２３２ｂ）が、素子搭載部材２２０の枠部２２２の振動素子用凹部空間２２４内側の面のみに接続されている点で、第一の実施形態と異なる。
【００３７】
第一の突起部２３１（２３１ａ，２３１ｂ）は、図４及び図５に示すように、２つ一対となっている。
また、２つ一対の第一の突起部２３１は、例えば、図４に示すように、直方体となっている。
また、２つ一対の第一の突起部２３１は、素子搭載部材２２０の枠部２２２の振動素子用凹部空間２２４の内側の面に、設けられている。つまり、第一の突起部２３１は、図５に示すように、振動素子用凹部空間２２４の底面に接することなく、振動素子用凹部空間２２４内側の面のみに接続されている。
また、２つ一対の第一の突起部２３１は、図４に示すように、振動素子用凹部空間２２４の一方の短辺側及び他方の短辺側にそれぞれ１個ずつ設けられている。
また、２つ一対の第一の突起部３２１は、図５に示すように、その高さが、枠部２２２の高さより低い高さとなっている。つまり、２つ一対の第一の突起部３３１は、振動素子用凹部空間２２４の底面と対向する面であって、振動素子用凹部空間２２４の開口部側の面が、素子搭載部材２２０の開口部が設けられている一方の主面より、振動素子用凹部空間２２４の底面側に位置している。
【００３８】
２つ一対の第一の突起部２３１は、素子搭載部材２２０の振動素子用凹部空間２２４内側であって、振動素子２４０を搭載することのできる位置に設けられている。
従って、２つ一対の第一の突起部２３１は、図４及び図５に示すように、振動素子用凹部空間２２４の開口部側から見た場合、基板部２２１の一方の短辺と平行な辺に着目すると、一方の第一の突起部２３１ａの振動素子用凹部空間２２４内側の辺と、他方の第一の突起部２３１ｂの振動素子用凹部空間２２４内側の辺との間に、振動素子２４０が搭載される位置に、２つ一対の第一の突起部２３１が設けられる。
【００３９】
第二の突起部２３２（２３２ａ，２３２ｂ）は、図４に示すように、２つ一対となっている。
また、２つ一対の第二の突起部２３２は、例えば、図４に示すように、直方体となっている。
また、２つ一対の第二の突起部２３２は、素子搭載部材２２０の枠部２２２の振動素子用凹部空間２２４の内側の面に、設けられている。つまり、第二の突起部２３２は、振動素子用凹部空間２２４の底面に接することなく、振動素子用凹部空間２２４内側の面のみに接続されている。
また、２つ一対の第二の突起部２３２は、図４に示すように、振動素子用凹部空間２２４の一方の長辺側及び他方の長辺側にそれぞれ１個ずつ設けられている。
また、２つ一対の第二の突起部３２２は、その高さが、枠部２２２の高さより低い高さとなっている。つまり、２つ一対の第二の突起部３３２は、振動素子用凹部空間２２４の底面と対向する面であって、振動素子用凹部空間２２４の開口部側の面が、素子搭載部材２２０の開口部が設けられている一方の主面より、振動素子用凹部空間２２４の底面側に位置している。
【００４０】
２つ一対の第二の突起部２３２は、素子搭載部材２２０の振動素子用凹部空間２２４内側であって、振動素子２４０を搭載することのできる位置に設けられている。
従って、２つ一対の第二の突起部２３２は、図４に示すように、振動素子用凹部空間２２４の開口部側から見た場合、基板部２２１の一方の長辺と平行な辺に着目すると、一方の第二の突起部２３２ａの振動素子用凹部空間２２４内側の辺と、他方の第二の突起部２３２ｂの振動素子用凹部空間２２４内側の辺との間に、振動素子２４０が搭載される位置に、２つ一対の第二の突起部２３２が設けられる。
【００４１】
このような本発明の第二の実施形態に係る圧電デバイス２００は、２つ一対の第一の突起部２３１によって、振動素子２４０が振動素子用凹部空間２２４内の所定の位置に位置出しされつつ、２つ一対の第二の突起部２３２によって、振動素子２４０が振動素子用凹部空間２２４内の所定の位置に位置出しされている。つまり、本発明の第二の実施形態に係る圧電デバイス２００は、２つ一対の第一の突起部２３１の間に振動素子２４０を設けつつ、２つ一対の第二の突起部２３２の間に振動素子２４０を設けるように、素子搭載部材２２０の搭載端子Ｐ（Ｐａ，Ｐｂ）に振動素子２４０が搭載されている。従って、本発明の第二の実施形態に係る圧電デバイス２００は、第一の実施形態と同様の効果を奏する。
【００４２】
（第三の実施形態）
次に本発明の第三の実施形態に係る圧電デバイスについて説明する。なお、圧電デバイスを水晶発振器として説明する。
図６は、本発明の第三の実施形態に係る圧電デバイスの一例を示す断面図である。
本発明の第三の実施形態に係る圧電デバイス３００は、図６に示すように、素子搭載部材３２０の一方の主面に振動素子用凹部空間３２４が設けられ、素子搭載部材３２０の他方の主面に搭載部品用凹部空間３２５が設けられている点で、第一の実施形態と異なる。また、この搭載部品用凹部空間３２５内部に搭載部品３５０が搭載されている。
【００４３】
素子搭載部材３２０は、図６に示すように、基板部３２１と第一の枠部３２２ａと第二の枠部３２２ｂとから主に構成されている。
基板部３２１は、例えば、矩形形状の平板に設けられている。また、基板部３２１は、その主面が蓋部材３１０の主面と同じ大きさとなっている。
また、基板部３２１は、図６に示すように、一方の主面に、第一の枠部３２２ａと２つ一対の搭載端子Ｐとが設けられており、他方の主面に、第二の枠部３２２ｂと複数の搭載部品用端子Ｔとが設けられている。
【００４４】
第一の枠部３２２ａは、一方の主面であって、蓋部材３１０に設けられている封止用金属層（図示せず）と対向する位置に、第一の金属層（図示せず）が環状に設けられている。
また、第一の枠部３２２ａは、基板部３２１の一方の主面の縁部であって、その他方の主面が基板部３２１の一方の主面と対向する位置に設けられる。つまり、素子搭載部材３２０は、基板部３２１の一方の主面に第一の枠部３２２ａが設けられ、一方の主面に振動素子用凹部空間３２４が形成されている。
また、第一の枠部３２２ａは、その枠形状の内側の面、つまり、振動素子用凹部空間３２４内側の面に、２つ一対の第一の突起部３３１（３３１ａ，３３１ｂ）と２つ一対の第二の突起部３３２とが、振動素子用凹部空間３２４の底面と接触するように設けられている。なお、ここでは、２つ一対の第一の突起部３３１及び２つ一対の第二の突起部３３２とが、振動素子用凹部空間３２４の底面と接触する場合について説明しているが、振動素子用凹部空間３２４の底面と接触していなくてもよい。
【００４５】
第二の枠部３２２ｂは、図６に示すように、一方の主面に複数の外部接続端子Ｇが設けられている。ここで、外部接続端子Ｇは、例えば、４個設けられており、一方の主面の４隅に１個ずつ設けられている。
また、第二の枠部３２２ｂは、基板部３２１の他方の主面の縁部であって、その他方の主面が基板部３２１の他方の主面と対向する位置に設けられる。つまり、素子搭載部材３２０は、基板部３２１の他方の主面に第二の枠部３２２ｂが設けられて、素子搭載部材３２０の他方の主面に搭載部品用凹部空間３２５が形成される。
【００４６】
２つ一対の搭載端子Ｐ（Ｐａ，Ｐｂ）は、基板部３２１の一方の主面であって、振動素子用凹部空間３２４の底面となる位置であって、対角線上の２隅に、それぞれ１個ずつ設けられる。
【００４７】
複数の搭載部品用端子Ｔは、基板部３２１の他方の主面であって、搭載部品用凹部空間３２５の底面となる位置に設けられる。この搭載部品用端子Ｔは、その配置及び数が、後述する搭載部品３５０に合わせて適宜設けられる。ここで、搭載部品用端子Ｔが、例えば、６個設けられている。また、搭載部品用端子Ｔは、第二の枠部３２２ｂの一方の長辺に沿って３個並んで設けられ、かつ、第二の枠部３２２ｂの他方の長辺に沿って３個並んで設けられている。
また、搭載部品用端子Ｔは、例えば、所定の一つが、所定の一つの外部接続端子Ｇと電気的に接続している。
【００４８】
つまり、素子搭載部材３２０は、一方の主面に振動素子用凹部空間３２４が形成され、その振動素子用凹部空間３２４の底面であって、対角線上の２隅に搭載端子Ｐが設けられている。
また、素子搭載部材３２０は、他方の主面に搭載部品用凹部空間３２５が形成され、その搭載部品用の凹部空間３２５の底面に６個の搭載部品用端子Ｔが設けられている。
【００４９】
第一の突起部３３１（３３１ａ，３３１ｂ）は、図６に示すように、２つ一対となっている。
２つ一対の第一の突起部３３１は、例えば、直方体の形状となっている。
また、２つ一対の第一の突起部３３１は、振動素子用凹部空間３２４の底面に接しつつ、素子搭載部材３２０の第一の枠部３２２ａの振動素子用凹部空間３２４内側の面に設けられている。
また、２つ一対の第一の突起部３３１は、図６に示すように、その高さが第一の枠部３２２ａの高さより低い高さとなっている。つまり、２つ一対の第一の突起部３３１は、振動素子用凹部空間３２４の底面と対向する面であって、振動素子用凹部空間３２４の開口部側の面が、素子搭載部材３２０の開口部が設けられている一方の主面より、振動素子用凹部空間３２４の底面側に位置している。
【００５０】
一方の第一の突起部３３１ａは、素子搭載部材３２０の第一の枠部３２２ａの振動素子用凹部空間３２４内側の面であって、一方の短辺側に設けられている。ここで、一方の第一の突起部３３１ａは、例えば、２つ一対の搭載端子Ｐが設けられている振動素子用凹部空間３２４の底面であって、一方の短辺側の中央部に設けられている。
また、一方の第一の突起部３３１ａは、振動素子用凹部空間３２４の開口部側から見た場合、基板部３２１の外縁部の一方の短辺と平行な辺に着目すると、一方の第一の突起部３３１ａの振動素子用凹部空間３２４内側の辺の位置が、一方の搭載端子Ｐａの基板部３２１の外縁側の辺と、一方の搭載端子Ｐａの振動素子用凹部空間３２４内側の辺との間に設けられている。
ここで、一方の搭載端子Ｐａは、一方の第一の突起部３３１ａの近傍であって、一方の短辺側に設けられている。
【００５１】
他方の第一の突起部３３１ｂは、素子搭載部材３２０の第一の枠部３２２ａの振動素子用凹部空間３２４内側の面であって、一方の第一の突起部３３１ａが設けられている面と対向する面、つまり、振動素子用凹部空間３２４の底面の他方の短辺側に設けられている。
また、他方の第一の突起部３３１ｂは、振動素子用凹部空間３２４の底面に設けられている。
ここで、他方の第一の突起部３３１ｂは、例えば、他方の短辺側の中央部に設けられている。
また、他方の第一の突起部３３１ｂは、振動素子用凹部空間３２４の開口部側から見た場合、基板部３２１の外縁部の一方の短辺と平行な辺に着目すると、他方の第一の突起部３３１ｂの振動素子用凹部空間３２４内側の辺の位置が、他方の搭載端子Ｐｂの基板部３２１の外縁側の辺と、他方の搭載端子Ｐｂの振動素子用凹部空間３２４内側の辺との間に設けられている。ここで、他方の搭載端子Ｐｂは、他方の第一の突起部３３１ｂの近傍であって、他方の短辺側に設けられている。
【００５２】
２つ一対の第一の突起部３３１は、素子搭載部材３２０の振動素子用凹部空間３２４内側であって、後述する振動素子３４０を搭載することのできる位置に設けられている。
従って、２つ一対の第一の突起部３３１は、振動素子用凹部空間３２４の開口部側から見た場合、基板部３２１の一方の短辺と平行な辺に着目すると、一方の第一の突起部３３１ａの振動素子用凹部空間３２４内側の辺と、他方の第一の突起部３３１ｂの振動素子用凹部空間３２４内側の辺との間に、振動素子３４０が搭載される位置に、２つ一対の第一の突起部３３１が設けられる。
【００５３】
第二の突起部３３２は、２つ一対となっている。
２つ一対の第二の突起部３３２は、例えば、直方体の形状となっている。
また、２つ一対の第二の突起部３３２は、振動素子用凹部空間３２４の底面に接しつつ、素子搭載部材３２０の枠部３２２の振動素子用凹部空間３２４内側の面に設けられている。
また、２つ一対の第二の突起部３３２は、その高さが第一の枠部３２２ａの高さより低い高さとなっている。つまり、２つ一対の第二の突起部３３２は、振動素子用凹部空間３２４の底面と対向する面であって、振動素子用凹部空間３２４の開口部側の面が、素子搭載部材３２０の開口部が設けられている一方の主面より、振動素子用凹部空間３２４の底面側に位置している。
【００５４】
一方の第二の突起部３３２ａは、素子搭載部材３２０の第一の枠部３２２ａの振動素子用凹部空間３２４内側の面であって、一方の長辺側に設けられている。
また、一方の第二の突起部３３２ａは、振動素子用凹部空間３２４の開口部側から見た場合、基板部３２１の外縁部の一方の長辺と平行な辺に着目すると、一方の第二の突起部３３２ａの振動素子用凹部空間３２４内側の辺の位置が、一方の搭載端子Ｐａの基板部３２１の外縁側の辺と、一方の搭載端子Ｐａの振動素子用凹部空間３２４内側の辺との間に設けられている。
ここで、一方の搭載端子Ｐａは、一方の第二の突起部３３２ａの近傍であって、一方の短辺側に設けられている。また、この一方の搭載端子Ｐａの近傍の長辺を一方の長辺側とする。
【００５５】
他方の第二の突起部３３２ｂは、素子搭載部材３２０の第一の枠部３２２ａの振動素子用凹部空間３２４内側の面であって、一方の第二の突起部３３２ａが設けられている面と対向する面、つまり、振動素子用凹部空間３２４の底面の他方の長辺側に設けられている。
また、他方の第一の突起部３３１ｂは、振動素子用凹部空間３２４の底面に設けられている。
また、一方の第二の突起部３３２ｂは、振動素子用凹部空間３２４の開口部側から見た場合、基板部３２１の外縁部の一方の長辺と平行な辺に着目すると、一方の第二の突起部３３２ａの振動素子用凹部空間３２４内側の辺の位置が、他方の搭載端子Ｐｂの基板部３２１の外縁側の辺と、他方の搭載端子Ｐｂの振動素子用凹部空間３２４内側の辺との間に設けられている。
ここで、他方の搭載端子Ｐｂは、他方の第二の突起部３３２ａの近傍であって、他方の短辺側に設けられている。また、この他方の搭載端子Ｐｂの近傍の長辺を他方の長辺側とする。
【００５６】
２つ一対の第二の突起部３３２は、素子搭載部材３２０の振動素子用凹部空間３２４内側であって、振動素子３４０を搭載することのできる位置に設けられている。
従って、２つ一対の第二の突起部３３２は、振動素子用凹部空間３２４の開口部側から見た場合、基板部３２１の一方の長辺と平行な辺に着目すると、一方の第二の突起部３３２ａの振動素子用凹部空間３２４内側の辺と、他方の第二の突起部３３２ｂの振動素子用凹部空間３２４内側の辺との間に、振動素子３４０が搭載される位置に、２つ一対の第二の突起部３３２が設けられる。
【００５７】
搭載部品３５０は、例えば、集積回路素子とする。この搭載部品３５０は、振動素子３４０の振動に基づいて発振出力を制御する発振回路の機能を備えている。
【００５８】
圧電デバイス３００は、振動素子３４０が振動素子用凹部空間３２４内側の面に設けられた２つ一対の第一の突起部３３１の間に設けられ、かつ、振動素子３４０が振動素子用凹部空間３２４内側に設けられた２つ一対の第二の突起部３３２の間に設けられ、振動素子３４０の接続端子Ｓが素子搭載部材３２０の搭載端子Ｐに導電性接着剤Ｄにより固定されて、振動素子３４０が素子搭載部材３２０に搭載される。
また、圧電デバイス３００は、搭載部品用凹部空間３２５内側の面に設けられた、搭載部品３５０が素子搭載部材３２０の搭載部品用端子Ｔに導電性接着剤Ｄにより固定されて、搭載される。
【００５９】
圧電デバイス３００は、振動素子３４０が素子搭載部材３２０に搭載された状態で、素子搭載部材３２０の第一の金属層（図示せず）と蓋部材３１０の封止用金属層（図示せず）とが接合され、素子搭載部材３２０の振動素子用凹部空間３２４が気密封止される。
【００６０】
このような本発明の第三の実施形態に係る圧電デバイス３００は、２つ一対の第一の突起部３３１及び２つ一対の第二の突起部３３２によって、振動素子３４０が振動素子用凹部空間３２４内の所定の位置に位置出しされ、搭載される。従って、本発明の第三の実施形態に係る圧電デバイス３００は、第一の実施形態と同様の効果を奏する。
【００６１】
（第四の実施形態）
次に本発明の第四の実施形態に係る圧電デバイスについて説明する。なお、圧電デバイスを水晶発振器として説明する。
図７は、本発明の第四の実施形態に係る圧電デバイスの一例を示す断面図である。
本発明の第四の実施形態に係る圧電デバイス４００は、図７に示すように、搭載部品用凹部４２５が素子部品用凹部４２４の内に設けられている点で第三の実施形態と異なる。
【００６２】
素子搭載部材４２０は、基板部４２１と第一の枠部４２２ａと第二の枠部４２２ｂとから主に構成されている。
基板部４２１は、例えば、矩形形状の平板に設けられている。また、基板部４２１は、その主面が蓋部材４１０の主面と同じ大きさとなっている。
また、基板部４２１は、一方の主面に第二の枠部４２２ｂと複数の搭載部品用端子Ｔとが設けられ、他方の主面に複数の外部接続端子Ｇが設けられている。
複数の外部接続端子Ｇは、例えば、４個設けられており、基板部４２１の他方の主面の４隅に１個ずつ設けられている。
【００６３】
第二の枠部４２２ｂは、一方の主面に２つ一対の搭載端子Ｐ（Ｐａ，Ｐｂ）が設けられている。この２つ一対の搭載端子Ｐは、対角線上の２隅に１個ずつ設けられている。
また、第二の枠部４２２ｂは、基板部４２１の一方の主面での縁部であって、他方の主面が基板部４２１の一方の主面と対向する位置に設けられる。つまり、第二の枠部４２２ｂが基板部４２１の一方の主面に設けられて、一方の主面に搭載部品用凹部空間４２５が形成される。
【００６４】
複数の搭載部品用端子Ｔは、この搭載部品用凹部空間４２５の底面に設けられる。この搭載部品用端子Ｔは、数と設けられる位置が搭載部品４５０によって異なる。ここで、搭載部品用端子Ｔが、例えば、６個設けられる。搭載部品用端子Ｔは、一方の長辺側に３個並んで設けられ、他方の長辺側に３個並んで設けられる。また、搭載部品用端子Ｔは、例えば、所定の一つが、所定の一つの外部接続端子Ｇと接続している。
【００６５】
第一の枠部４２２ａは、その主面の大きさが、基板部４２１の主面と同じ大きさとなっている。また、第一の枠部４２２ａは、一方の主面であって、蓋部材４１０に設けられている封止用金属層（図示せず）と対向する位置に、第一の金属層（図示せず）が環状に設けられている。
また、第一の枠部４２２ａは、その他方の主面が第二の枠部４２２ｂの一方の主面と対向するように、第二の枠部４２２ｂの一方の主面の縁部に設けられ、振動素子凹部空間４２４が形成される。
また、第一の枠部４２２ａは、その振動素子凹部空間４２４の内側の面に、２つ一対の第一の突起部４３１（４３１ａ，４３１ｂ）が、第二の枠部４２２ｂと接触するように設けられている。
【００６６】
つまり、素子搭載部材４２０は、一方の主面に振動素子用凹部空間４２４と搭載部品用凹部空間４２５が形成され、振動素子用凹部空間４２４の底面に搭載部品用凹部空間４２５が形成された構造となっている。
また、素子搭載部材４２０は、搭載部品用凹部空間４２５の底面に、６個の搭載部品用端子Ｔが設けられており、振動素子用凹部空間４２４の底面に、２つ一対の搭載端子Ｐが設けられている。また、素子搭載部材４２０は、他方の主面の４隅に外部接続端子Ｇが設けられている。
【００６７】
第一の突起部４３１（４３１ａ，４３１ｂ）は、図７に示すように、２つ一対となっている。
２つ一対の第一の突起部４３１は、例えば、直方体の形状となっている。
また、２つ一対の第一の突起部４３１は、振動素子用凹部空間４２４の底面に接しつつ、素子搭載部材４２０の第一の枠部４２２ａの振動素子用凹部空間４２４内側の面に設けられている。
また、２つ一対の第一の突起部４３１は、図７に示すように、その高さが第一の枠部４２２ａの高さより低い高さとなっている。つまり、２つ一対の第一の突起部４３１は、振動素子用凹部空間４２４の底面と対向する面であって、振動素子用凹部空間４２４の開口部側の面が、素子搭載部材４２０の開口部が設けられている一方の主面より、振動素子用凹部空間４２４の底面側に位置している。
【００６８】
一方の第一の突起部４３１ａは、素子搭載部材４２０の第一の枠部４２２ａの振動素子用凹部空間４２４内側の面であって、一方の短辺側に設けられている。ここで、一方の第一の突起部４３１ａは、例えば、２つ一対の搭載端子Ｐが設けられている振動素子用凹部空間４２４の底面であって、一方の短辺側の中央部に設けられている。
また、一方の第一の突起部４３１ａは、振動素子用凹部空間４２４の開口部側から見た場合、基板部４２１の外縁部の一方の短辺と平行な辺に着目すると、一方の第一の突起部４３１ａの振動素子用凹部空間４２４内側の辺の位置が、一方の搭載端子Ｐａの基板部４２１の外縁側の辺と、一方の搭載端子Ｐａの振動素子用凹部空間４２４内側の辺との間に設けられている。
ここで、一方の搭載端子Ｐａは、一方の第一の突起部４３１ａの近傍であって、一方の短辺側に設けられている。
【００６９】
他方の第一の突起部４３１ｂは、素子搭載部材４２０の第一の枠部４２２ａの振動素子用凹部空間４２４内側の面であって、一方の第一の突起部４３１ａが設けられている面と対向する面、つまり、振動素子用凹部空間４２４の底面の他方の短辺側に設けられている。
また、他方の第一の突起部４３１ｂは、振動素子用凹部空間４２４の底面に設けられている。
ここで、他方の第一の突起部４３１ｂは、例えば、他方の短辺側の中央部に設けられている。
また、他方の第一の突起部４３１ｂは、振動素子用凹部空間４２４の開口部側から見た場合、基板部４２１の外縁部の一方の短辺と平行な辺に着目すると、他方の第一の突起部３３１ｂの振動素子用凹部空間４２４内側の辺の位置が、他方の搭載端子Ｐｂの基板部４２１の外縁側の辺と、他方の搭載端子Ｐｂの振動素子用凹部空間４２４内側の辺との間に設けられている。
ここで、他方の搭載端子Ｐｂは、他方の第一の突起部４３１ｂの近傍であって、他方の短辺側に設けられている。
【００７０】
２つ一対の第一の突起部４３１は、素子搭載部材４２０の振動素子用凹部空間４２４内側であって、後述する振動素子４４０を搭載することのできる位置に設けられている。
従って、２つ一対の第一の突起部３３１は、振動素子用凹部空間４２４の開口部側から見た場合、基板部４２１の一方の短辺と平行な辺に着目すると、一方の第一の突起部４３１ａの振動素子用凹部空間４２４内側の辺と、他方の第一の突起部４３１ｂの振動素子用凹部空間４２４内側の辺との間に、振動素子４４０が搭載される位置に、２つ一対の第一の突起部４３１が設けられる。
【００７１】
第二の突起部４３２は、２つ一対となっている。
２つ一対の第二の突起部４３２は、例えば、直方体の形状となっている。
また、２つ一対の第二の突起部４３２は、振動素子用凹部空間４２４の底面に接しつつ、素子搭載部材４２０の枠部４２２の振動素子用凹部空間４２４内側の面に設けられている。
また、２つ一対の第二の突起部４３２は、その高さが第一の枠部４２２ａの高さより低い高さとなっている。つまり、２つ一対の第二の突起部４３２は、振動素子用凹部空間４２４の底面と対向する面であって、振動素子用凹部空間４２４の開口部側の面が、素子搭載部材４２０の開口部が設けられている一方の主面より、振動素子用凹部空間４２４の底面側に位置している。
【００７２】
一方の第二の突起部４３２ａは、素子搭載部材４２０の第一の枠部４２２ａの振動素子用凹部空間４２４内側の面であって、一方の長辺側に設けられている。
また、一方の第二の突起部４３２ａは、振動素子用凹部空間４２４の開口部側から見た場合、基板部４２１の外縁部の一方の長辺と平行な辺に着目すると、一方の第二の突起部４３２ａの振動素子用凹部空間４２４内側の辺の位置が、一方の搭載端子Ｐａの基板部４２１の外縁側の辺と、一方の搭載端子Ｐａの振動素子用凹部空間４２４内側の辺との間に設けられている。
ここで、一方の搭載端子Ｐａは、一方の第二の突起部４３２ａの近傍であって、一方の短辺側に設けられている。また、この一方の搭載端子Ｐａの近傍の長辺を一方の長辺側とする。
【００７３】
他方の第二の突起部４３２ｂは、素子搭載部材４２０の第一の枠部４２２ａの振動素子用凹部空間４２４内側の面であって、一方の第二の突起部４３２ａが設けられている面と対向する面、つまり、振動素子用凹部空間４２４の底面の他方の長辺側に設けられている。
また、他方の第一の突起部４３１ｂは、振動素子用凹部空間４２４の底面に設けられている。
また、一方の第二の突起部４３２ｂは、振動素子用凹部空間４２４の開口部側から見た場合、基板部４２１の外縁部の一方の長辺と平行な辺に着目すると、一方の第二の突起部４３２ａの振動素子用凹部空間４２４内側の辺の位置が、他方の搭載端子Ｐｂの基板部４２１の外縁側の辺と、他方の搭載端子Ｐｂの振動素子用凹部空間４２４内側の辺との間に設けられている。
ここで、他方の搭載端子Ｐｂは、他方の第二の突起部４３２ａの近傍であって、他方の短辺側に設けられている。また、この他方の搭載端子Ｐｂの近傍の長辺を他方の長辺側とする。
【００７４】
２つ一対の第二の突起部４３２は、素子搭載部材４２０の振動素子用凹部空間４２４内側であって、振動素子４４０を搭載することのできる位置に設けられている。
従って、２つ一対の第二の突起部４３２は、振動素子用凹部空間４２４の開口部側から見た場合、基板部４２１の一方の長辺と平行な辺に着目すると、一方の第二の突起部４３２ａの振動素子用凹部空間３２４内側の辺と、他方の第二の突起部４３２ｂの振動素子用凹部空間４２４内側の辺との間に、振動素子４４０が搭載される位置に、２つ一対の第二の突起部４３２が設けられる。
【００７５】
このような本発明の第四の実施形態に係る圧電デバイス４００は、２つ一対の第一の突起部４３１及び２つ一対の第二の突起部４３２によって、振動素子４４０が振動素子用凹部空間４２４内の所定の位置に位置出しされ、搭載される。従って、本発明の第四の実施形態に係る圧電デバイス４００は、第一の実施形態と同様の効果を奏する。
【符号の説明】
【００７６】
１１０，２１０，３１０，４１０，５１０  蓋部材
１２０，２２０，３２０，４２０，５２０  素子搭載部材
１２１，２２１，３２１，４２１，５２１  基板部
１２２，２２２，３２２ａ，３２２ｂ，４２２ａ，４２２ｂ，５２２  枠部
１２４，２２４，３２４，４２４，５２４  振動素子凹部空間
３２５，４２５  搭載部材用凹部空間
Ｐ  搭載端子
Ｔ  搭載部品用端子
１３１，２３１，３３１，４３１  第一の突起部
１３２，２３２，３３２，４３２  第二の突起部
１４０，２４０，３４０，４４０，５４０  振動素子
１４１，２４１，３４１，４４１，５４１  圧電片
１４２，２４２，３４２，４４２，５４２  電極
Ｓ  接続端子
Ｈ  配線パターン
３５０，４５０  搭載部品
【図１】
2011015075.tif 000003
【図２】
2011015075.tif 000004
【図３】
2011015075.tif 000005
【図４】
2011015075.tif 000006
【図５】
2011015075.tif 000007
【図６】
2011015075.tif 000008
【図７】
2011015075.tif 000009
【図８】
2011015075.tif 000010
【図９】
2011015075.tif 000011
【図１０】
2011015075.tif 000012